(57)【要約】【課題】利用者を撮影した撮影画像を印画した印画物と、撮影画像内の人物画像のサイズに合わせた編集アイテムのステッカーとを作成するプリントシステムを提供する。【解決手段】本発明によるプリントシステム１は、利用者を撮影し、撮影画像を生成する撮影装置１１と、利用者から編集アイテムの選択を受け付ける編集アイテム選択部１２０と、前記撮影画像から人物画像を切り抜き、前記人物画像と前記選択された編集アイテムとを合成した合成画像を生成するクロマキー処理部１２２と、前記人物画像のサイズに基づいて、前記人物画像に合成される編集アイテムのサイズを調整するサイズ調整部１２４と、前記人物画像を印画紙にプリントして出力するプリンタ１５と、サイズ調整された前記編集アイテムの画像をステッカー台紙にプリントしてステッカーを作成するステッカー作成装置１６と、を備える。【選択図】図１
2018019271.tif 000002
【特許請求の範囲】
【請求項１】
利用者を撮影し、撮影画像を生成する撮影装置と、
利用者から編集アイテムの選択を受け付ける編集アイテム選択部と、
前記撮影画像から人物画像を切り抜き、前記人物画像と前記選択された編集アイテムとを合成した合成画像を生成するクロマキー処理部と、
前記合成画像を表示する表示部と、
前記人物画像のサイズに基づいて、前記人物画像に合成される編集アイテムのサイズを調整するサイズ調整部と、
前記人物画像を印画紙にプリントして出力するプリンタと、
サイズ調整された前記編集アイテムの画像をステッカー台紙にプリントしてステッカーを作成するステッカー作成装置と、
を備えるプリントシステム。
【請求項２】
前記サイズ調整部は、前記人物画像のサイズに基づいて、前記編集アイテムに含まれる着せ替えアイテムのサイズを調整することを特徴とする請求項１に記載のプリントシステム。
【請求項３】
前記プリンタは、前記人物画像に背景画像が合成された画像を印画紙にプリントすることを特徴とする請求項１又は２に記載のプリントシステム。
【請求項４】
前記ステッカー作成装置は、前記編集アイテムの画像の輪郭に沿って前記ステッカー台紙に切り込みを形成することを特徴とする請求項１乃至３のいずれかに記載のプリントシステム。
【請求項５】
前記プリンタは、前記合成画像を印画紙にプリントして出力することを特徴とする請求項１乃至４のいずれかに記載のプリントシステム。
【発明の詳細な説明】
【技術分野】
【０００１】
本発明は、画像が印画された印画物と、この印画物に貼付するためのステッカーとを作成するプリントシステムに関する。
【背景技術】
【０００２】
従来、ユーザを撮影した画像に編集処理で好みの模様やスタンプ等を合成した合成画像をプリント出力したり、撮影画像のプリント物を別途購入したシール（ステッカー）で装飾したりして、写真プリントが楽しまれている。
【０００３】
しかし、シールはサイズが予め決まっており、プリント物にプリントされた被写体のサイズに合わないことがあった。例えば、少人数で撮影した場合と比較して、大人数で撮影した場合は人物画像のサイズが小さくなることが多く、プリント物を装飾するに際し、同じデザインでもサイズの小さいシールが望まれる。
【先行技術文献】
【特許文献】
【０００４】
【特許文献１】特開２０００−６９４０４号公報
【発明の概要】
【発明が解決しようとする課題】
【０００５】
本発明は、上記従来の実状に鑑みてなされたものであり、利用者を撮影した撮影画像を印画した印画物と、撮影画像内の人物画像のサイズに合わせた編集アイテムのステッカーとを作成するプリントシステムを提供することを課題とする。
【課題を解決するための手段】
【０００６】
本発明によるプリントシステムは、利用者を撮影し、撮影画像を生成する撮影装置と、利用者から編集アイテムの選択を受け付ける編集アイテム選択部と、前記撮影画像から人物画像を切り抜き、前記人物画像と前記選択された編集アイテムとを合成した合成画像を生成するクロマキー処理部と、前記合成画像を表示する表示部と、前記人物画像のサイズに基づいて、前記人物画像に合成される編集アイテムのサイズを調整するサイズ調整部と、前記人物画像を印画紙にプリントして出力するプリンタと、サイズ調整された前記編集アイテムの画像をステッカー台紙にプリントしてステッカーを作成するステッカー作成装置と、を備えるものである。
【０００７】
本発明の一態様によるプリントシステムにおいて、前記サイズ調整部は、前記人物画像のサイズに基づいて、前記編集アイテムに含まれる着せ替えアイテムのサイズを調整する。
【０００８】
本発明の一態様によるプリントシステムにおいて、前記プリンタは、前記人物画像に背景画像が合成された画像を印画紙にプリントする。
【０００９】
本発明の一態様によるプリントシステムにおいて、前記ステッカー作成装置は、前記編集アイテムの画像の輪郭に沿って前記ステッカー台紙に切り込みを形成する。
【００１０】
本発明の一態様によるプリントシステムにおいて、前記プリンタは、前記合成画像を印画紙にプリントして出力する。
【発明の効果】
【００１１】
本発明によれば、利用者を撮影した撮影画像を印画した印画物と、撮影画像内の人物画像のサイズに合わせた編集アイテムのステッカーとを作成できる。利用者は、ステッカーを印画物に貼り付けることで、印画物を飾り付ける楽しみを得ることができる。
【図面の簡単な説明】
【００１２】
【図１】本発明の実施形態に係る印画物作製処理の概念図である。
【図２】同実施形態に係るプリントシステムの概略構成図である。
【図３】演算制御装置の概略構成図である。
【図４】画像処理プログラムの実行により実現される機能ブロック図である。
【図５】同実施形態に係る印画物作製方法を説明するフローチャートである。
【図６】（ａ）（ｂ）は画像編集画面の例を示す図である。
【図７】ステッカーの例を示す図である。
【図８】（ａ）（ｂ）は、出力される印画物とステッカーの例を示す図である。
【図９】ステッカー貼付の概念図である。
【発明を実施するための形態】
【００１３】
以下、本発明の実施の形態を図面に基づいて説明する。
【００１４】
図１は、本発明の実施形態に係る印画物作製処理の概念図である。プリントシステム１は、利用者Ｐを撮影し、撮影した画像にスタンプやフレーム等の編集アイテムを合成する編集処理を行い、撮影画像を印画紙にプリントした印画物２を出力すると共に、編集処理で使用した編集アイテムのステッカー３を出力する。利用者Ｐは１人でもよいし、複数人でもよい。
【００１５】
編集アイテムステッカーのデザインには洋服、帽子、眼鏡等の着せ替えアイテムが含まれ、着せ替えアイテムのサイズは、撮影画像内の人物画像のサイズに合わせたものになっている。利用者Ｐは、ステッカー３から編集アイテムステッカーを剥がし、印画物２に自ら貼付することで（図９参照）、人物画像の着せ替え等の、撮影画像の装飾を楽しむことができる。
【００１６】
図１、２に示すように、プリントシステム１は、利用者Ｐの撮影を行う撮影空間を有するボックス型の写真撮影装置であり、利用者Ｐを撮影して撮影画像データを生成する撮影装置１１と、この撮影画像データに対して画像処理を施す演算制御装置１０と、利用者Ｐから編集指示等を受け付けると共に、プレビュー画像や各種情報を表示するタッチパネル（指示受付部及び表示部）１２と、音声案内等を出力するスピーカ１３と、撮影装置１１が利用者Ｐを撮影する際に光を照射するストロボ１４と、を備える。
【００１７】
利用者Ｐの背中側に位置する壁紙の色は、クロマキー合成に適した色、例えば緑色や青色になっている。
【００１８】
このプリントシステム１には、撮影画像を印画紙にプリントして出力するプリンタ１５が設けられている。プリンタ１５のプリント方式は特に限定されず、インクジェット方式、昇華型熱転写方式、溶融型熱転写方式等を用いることができる。
【００１９】
また、プリントシステム１には、利用者Ｐが編集処理で使用した（撮影画像に合成した）編集アイテム画像を、ステッカー台紙にプリントし、画像の周囲に切り込みを形成することで編集アイテム画像を台紙から剥離可能としたステッカー３を作成するステッカー作成装置１６が設けられている。ステッカー台紙は、例えば、台紙上に接着剤層を介してシートが貼り付けられたものである。ステッカー作成装置１６として、例えばカッティングプロッタを用いることができる。
【００２０】
撮影装置１１は、例えばデジタルカメラであり、レンズ、シャッタ、ＣＭＯＳセンサ、Ａ／Ｄ変換器等を有する。撮影装置１１が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００２１】
タッチパネル１２は、操作ボタンを表示し、操作ボタンが押されると、その操作ボタンに対応した操作指示を受け付ける。例えば、タッチパネル１２は、画像に合成可能なスタンプやフレーム等の編集アイテムを選択する画像編集画面を表示し、利用者Ｐから、編集アイテムの選択、及び選択された編集アイテムの合成位置の指示を受け付ける。
【００２２】
また、タッチパネル１２はプレビュー画像を表示する。例えば、撮影装置１１が撮影した撮影画像をプレビュー表示する。また、撮影装置１１が利用者Ｐを連続して複数回撮影した場合、タッチパネル１２は複数の撮影画像を表示し、利用者Ｐから選択指示を受け付けることができる。
【００２３】
本実施形態では、タッチパネル１２が、利用者Ｐからの指示の受け付け及び利用者Ｐに対する情報提示を行っているが、タッチパネル１２の代わりに、タッチ機能の無いディスプレイ、及びボタンやマウス等の入力手段を設けてもよい。
【００２４】
プリントシステム１には、利用者Ｐが支払う貨幣を受け入れたり、釣銭を払い出したりする課金部（図示せず）がさらに設けられている。
【００２５】
演算制御装置１０は、プリントシステム１の各部の制御やデータの受け渡しを行う。図３に、演算制御装置１０のハードウェア構成を示す。演算制御装置１０は、ＣＰＵ（中央演算処理部）１００、メインメモリ１０２、ディスク装置１０４、及び入出力部１０６を有する。演算制御装置１０の各部はバスを介して接続されている。
【００２６】
ディスク装置１０４は、例えばハードディスクドライブであり、制御プログラム１１０、編集アイテムデータ１１２、及び画像処理プログラム１１４を格納する。
【００２７】
編集アイテムデータ１１２は、編集処理で画像に合成できるスタンプ等の編集アイテムの画像を含む。スタンプは、例えば、洋服、帽子、眼鏡、靴等の人物画像に重ね合わせることで着せ替えや変装を行うことができる着せ替えアイテムを含む。また、編集アイテムは、ハートマークや星型マーク等のスタンプ、画像を縁取るフレーム、背景等を含む。
【００２８】
ＣＰＵ１００が、ディスク装置１０４内の制御プログラム１１０をメインメモリ１０２にロードして、制御プログラム１１０を実行することで、プリントシステム１の各部を制御する制御部として機能する。
【００２９】
ＣＰＵ１００がメインメモリ１０２にロードされた画像処理プログラム１１４を実行することで、図４に示すように、編集アイテム選択部１２０、クロマキー処理部１２２、サイズ調整部１２４、プリント指示部１２６、及びステッカー作成処理部１２８が実現される。
【００３０】
編集アイテム選択部１２０は、編集アイテムデータ１１２を用いて、撮影画像に合成可能な編集アイテムの選択ボタンを含む画像編集画面を作成してタッチパネル１２に表示する。編集アイテム選択部１２０は、利用者Ｐから、画像編集画面を介して、編集アイテムの選択、及び選択した編集アイテムの配置位置の指示を受け付ける。
【００３１】
クロマキー処理部１２２は、撮影装置１１による撮影画像内の人物（ユーザ）と背景色（壁紙色）との色差を判別し、撮影画像から人物画像を切り抜く。ここで判別される色差とは、色相差、彩度差、又は色相差及び彩度差の組み合わせである。また、クロマキー処理部１２２は、人物画像と、選択された編集アイテムとを合成して合成画像を生成する。
【００３２】
サイズ調整部１２４は、利用者Ｐから選択された編集アイテムが着せ替えアイテムである場合、クロマキー処理部１２２が撮影画像から切り抜いた人物画像のサイズに基づいて、着せ替えアイテムのサイズを調整する。
【００３３】
撮影画像に人物画像が複数含まれ、人物画像毎のサイズの違いが大きい場合、サイズ調整部１２４は、利用者Ｐが着せ替えアイテムの配置指示をした際に、着せ替えアイテムが配置された人物画像のサイズに対応するように、着せ替えアイテムのサイズを調整してもよい。
【００３４】
サイズ調整部１２４は、編集アイテムのサイズを、人物画像のサイズに基づいて自動調整するだけでなく、画像編集画面を介して利用者Ｐから受け付けたサイズ変更指示に基づいて調整してもよい。
【００３５】
プリント指示部１２６は、撮影画像データを、プリントする写真サイズに対応したサイズに縮小（リサイズ）し、プリント用画像データを生成する。プリント指示部１２６は、このプリント用画像データを、演算制御装置１０の入出力部１０６を介してプリンタ１５へ転送し、プリンタ１５を制御して、画像を印画紙にプリントして出力する。
【００３６】
ステッカー作成処理部１２８は、利用者Ｐに選択された編集アイテムの画像データ、及び編集アイテム画像の輪郭情報を、入出力部１０６を介してステッカー作成装置１６へ転送する。編集アイテムの画像サイズは、サイズ調整部１２４による調整後のサイズに対応したものとなっている。ステッカー作成装置１６は、編集アイテム画像をステッカー台紙のシートに印刷し、輪郭情報に基づいて編集アイテム画像の輪郭に沿って切り込みを入れて、ステッカー３を作成する。
【００３７】
図５は、本実施形態に係る印画物作製方法を説明するフローチャートである。プリントシステム１が利用者Ｐを撮影して印画紙にプリントして出力すると共に、撮影画像の編集に用いた編集アイテムのステッカーを出力する方法について説明する。
【００３８】
利用者Ｐが、プリントシステム１の筐体内に進入すると、スピーカ１３から音声案内が出力されると共に、タッチパネル１２に案内が表示される。利用者Ｐがタッチパネル１２の開始ボタンを押すと、処理が開始され、撮影装置１１が利用者Ｐを撮影する（ステップＳ１０）。撮影は１回でもよいし、連続して複数回行えるようにしてもよい。
【００３９】
演算制御装置１０が、撮影画像データからプレビュー用画像を作成してタッチパネル１２に表示する（ステップＳ１１）。利用者Ｐが撮り直しを希望する場合（ステップＳ１２＿Ｙｅｓ）、再撮影を行う。
【００４０】
プレビュー画像の確認後、利用者Ｐは、タッチパネル１２に表示された画像編集画面を利用して、撮影画像の編集を行う（ステップＳ１３）。例えば、図６（ａ）に示すような画像編集画面がタッチパネル１２に表示される。画像編集画面の中央には、編集対象の画像４０が表示される。この画像４０は、撮影画像から切り抜かれた人物画像である。
【００４１】
画像編集画面は、背景選択ボタン４１、フレーム選択ボタン４２、スタンプ選択ボタン４３が設けられている。背景選択ボタン４１を押すと、背景画像（背景色）の候補が表示される。利用者Ｐが背景画像を選択すると、クロマキー処理部１２２は、人物画像に背景画像を合成する。画像編集画面では、この合成画像が表示される。
【００４２】
フレーム選択ボタン４２を押すと、画像を縁取るフレーム画像の候補が表示される。利用者Ｐがフレーム画像を選択すると、クロマキー処理部１２２は、フレーム画像を合成する。画像編集画面では、この合成画像が表示される。
【００４３】
スタンプ選択ボタン４３を押すと、スタンプ画像の候補が表示される。例えば、スタンプには、洋服、帽子、眼鏡等の着せ替えアイテムや、ハートや星等のマークがあり、図６（ａ）に示すように、タブ４４，４５で切り替えられるようになっている。
【００４４】
利用者Ｐは、スタンプを選択し、画像４０内のスタンプ配置位置を指定する。クロマキー処理部１２２は、スタンプを合成して合成画像を作成する。選択したスタンプが着せ替えアイテムである場合、サイズ調整部１２４が、人物画像のサイズに基づいてスタンプサイズを自動調整する。クロマキー処理部１２２は、サイズ調整後のスタンプを合成する。
【００４５】
合成するスタンプのサイズは、サイズ選択ボタン４６で変更することができる。
【００４６】
スタンプの合成により、図６（ｂ）に示すような合成画像４７が生成される。
【００４７】
画像の編集後、タッチパネル１２に課金画面が表示され、課金部が利用者Ｐからの入金を受け付けて課金処理を行う（ステップＳ１４）。なお、課金処理はステップＳ１０の撮影処理の前に行ってもよい。
【００４８】
課金処理後、プリント指示部１２６が、人物画像に背景画像を合成した画像を所定のサイズに縮小（リサイズ）し、プリント用画像データを生成して、プリンタ１５へ転送する。プリンタ１５は、プリント用画像データを印画紙にプリントし、印画物２を作成する（ステップＳ１５）。
【００４９】
ステッカー作成処理部１２８が、ステップＳ１３で利用者Ｐに選択され、人物画像に合成された編集アイテム（フレームやスタンプ）の画像と、各編集アイテム画像の輪郭情報とをステッカー作成装置１６へ転送する。編集アイテムの画像サイズは、編集処理の際にサイズ調整部１２４により調整されたサイズに対応したものとなっている。
【００５０】
ステッカー作成装置１６にはステッカー台紙が装填されている。ステッカー作成装置１６は、ステッカー台紙のシートに編集アイテム画像をプリントし、輪郭情報に基づいて、プリントした編集アイテム画像の輪郭に沿った切り込みを形成する（ステップＳ１６）。これにより、図７に示すような、ステッカー３が出力される。
【００５１】
ステッカー３は、図６（ｂ）に示す合成画像４７で使用された編集アイテム画像がプリントされた編集アイテムステッカー３１を有し、編集アイテム画像の輪郭に沿って切り込み３２が形成されている。
【００５２】
本実施形態によれば、図８（ａ）（ｂ）に示すように、着せ替えアイテムである編集アイテムステッカー３１のサイズは、印画物２内の被写体サイズに対応したものとなる。例えば、図８（ａ）に示すように、被写体サイズが大きい場合、編集アイテムステッカー３１のサイズは大きくなり、図８（ｂ）に示すように、被写体サイズが小さい場合、編集アイテムステッカー３１のサイズは小さくなる。
【００５３】
利用者Ｐは、人物画像がプリントされた印画物２と、編集アイテム画像がプリントされたステッカー３とを取得できる。図９に示すように、利用者Ｐは、ステッカー３から編集アイテムステッカー３１を剥がし、印画物２に貼付することで、ステップＳ１３の編集処理のように、撮影画像の装飾を楽しむことができる。着せ替えアイテムである編集アイテムステッカー３１のサイズは、人物画像のサイズに合ったものであるため、編集アイテムステッカー３１貼付後の仕上がり品質を向上させることができる。
【００５４】
このように、本実施形態によれば、利用者Ｐを撮影した画像が印画された印画物２と、利用者が編集作業により撮影画像に合成した編集アイテムのステッカー３とを作成できる。利用者Ｐは、編集アイテムステッカーを印画物２に貼り付けることで、印画物２を飾り付ける楽しみを得ることができる。
【００５５】
上記実施形態において、人物画像（人物画像と背景画像との合成画像）をプリントした印画物２、及び編集処理で使用した編集アイテムのステッカー３だけでなく、編集アイテムを合成した合成画像をプリントした印画物をさらに出力してもよい。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５７】
１  プリントシステム
２  印画物
３  ステッカー
１０  演算制御装置
１１  撮影装置
１２  タッチパネル
１３  スピーカ
１４  ストロボ
１５  プリンタ
１６  ステッカー作成装置
【図１】
2018019271.tif 000003
【図２】
2018019271.tif 000004
【図３】
2018019271.tif 000005
【図４】
2018019271.tif 000006
【図５】
2018019271.tif 000007
【図６】
2018019271.tif 000008
【図７】
2018019271.tif 000009
【図８】
2018019271.tif 000010
【図９】
2018019271.tif 000011